(57)【特許請求の範囲】
【請求項１】
上面が開放されて土壌を充填可能な溝を有し、且つ前記溝の方向に長い複数の溝型ブロックと、
前記溝型ブロックの長手方向一端側にのみ設けられて、前記土壌の流出を防止すると共に水の通過を許容する有孔板とを備え、
前記複数の溝型ブロックを、前記溝をのり面の上下方向へ向けてのり面に沿って前記溝型ブロックの有孔板を下側にして直列に連続させ、
且つ前記直列の溝型ブロックを並列に配したことを特徴とするのり面保護構造。
【請求項２】
前記直列の溝型ブロックを並列に配した状態で互いに対向する前記溝型ブロックの側部に、両溝型ブロック間で連通する連通孔をそれぞれ設け、
これら両連通孔の何れか一方の縁に他方の連通孔に内嵌する筒状突起を設け、
さらに、前記溝型ブロックの底面にのり面への係合突起を設け、
前記溝型ブロックの多数を、前記連通孔において連通させて縦横に連続させた状態でのり面に固着したことを特徴とする請求項１記載ののり面保護構造。
【発明の詳細な説明】
【０００１】
【発明の属する技術分野】
本発明は、切り通しの側方などに形成されるのり面を保護するのり面保護構造に係り、特に、植栽基盤を確保して上記のり面を緑化でき、且つ大型化して作業効率を向上できるブロックより成るのり面保護構造に関する。
【０００２】
【従来の技術】
上記のようなのり面保護構造としては、例えば、橋などの構造物の基礎周辺ののり面に、コンクリートブロックの練り積みにより形成されるものがあげられる。
【０００３】
【発明が解決しようとする課題】
しかしながら、上記のようにコンクリートブロックの練り積みにより形成されるのり面保護構造は、コンクリートブロックで覆われていない周囲ののり面とは異なり、コンクリート面がそのまま露出している。すると、切り通しに沿って多くののり面は切り土や盛り土に草が生えているのに対して、一部ののり面はコンクリート面が露出していることになり、切り通しを走行中に視野に入るのり面には時々コンクリート面が現れるから、視覚の面で違和感を与えるものであった。また、前記のり面上に幾何学的な模様を形成し、煩雑な印象を与えるものであった。
【０００４】
さらに、前記のり面保護構造に用いられるコンクリートブロックは、内部にまでコンクリートが充填されているため重く取り扱いが困難であり、のり面保護構造を形成する作業効率が思わしくなかった。
本発明は、上記のような従来ののり面保護構造の問題点を解決することを目的としてなされたものであり、違和感を低減し、また、煩雑な印象を与えることがなく、さらに、効率よく形成できるのり面保護構造を提供することを目的とする。
【０００５】
【課題を解決するための手段】
上記目的を達成するために、本発明の請求項１に係るのり面保護構造は、上面が開放されて土壌を充填可能な溝を有し、且つ前記溝の方向に長い複数の溝型ブロックと、前記溝型ブロックの長手方向一端側にのみ設けられて、前記土壌の流出を防止すると共に水の通過を許容する有孔板とを備え、前記複数の溝型ブロックを、前記溝をのり面の上下方向へ向けてのり面に沿って前記溝型ブロックの有孔板を下側にして直列に連続させ、且つ前記直列の溝型ブロックを並列に配したことを特徴とする。
【０００６】
前記溝型ブロックは、上面が開放されて内部に土壌を充填できるものであれば、その横断面形状はどのようなものでもよい。通常は、Ｕ字状の横断面形状が用いられる。
【０００７】
また、前記有孔板は、前記土壌の流出を防止すると共に、水の通過を許容するものであればよく、前記孔の数、位置、大きさは前記土壌の種類、のり面の傾斜の度合い等に応じて選択される。
また、前記溝型ブロックは、一端がのり面の上位にあり、他端がのり面の下位にあって、溝内を水が流れるようになっていれば、のり面に正対した位置から見て溝の方向が垂直方向に向いていてもよいし、右下がり又は左下がりに傾いているものでもよい。
【０００８】
かくして、本発明に係るのり面保護構造は、上面に前記土壌を充填可能な溝を有するため、前記土壌に植物を植えることによりのり面保護構造の表面を植物で覆うことができ、植物に覆われている周囲ののり面及びのり尻との境界をぼかして、のり面の状態を連続的に変化させ違和感を低減させることができる。また、前記のり面上に露出している前記溝型ブロックの上面を、植物によって覆い隠すことができる。
【０００９】
また、前記溝の方向に長い前記溝型ブロックが直列に連続に配されて、前記のり面に前記溝型ブロックの上面により直線を主体とした規律の取れた模様が形成されるため、前記溝型ブロックが前記植物の間から露呈しても、前記幾何学的模様のように煩雑な印象を与えない。
さらに、前記溝型ブロックの上面に前記溝が設けられているため、内部にコンクリートが充填されている前記コンクリートブロックよりも軽い。それゆえ、同じ重量では、前記コンクリートブロックよりも大型にできるため作業効率が上がり、大規模なのり面保護構造も短時間で形成できる。なお、前記のり面に前記溝型ブロックを配した後、前記溝型ブロック内に土壌を充填することにより、前記のり面保護構造の重量を十分に大きくすることができる。
【００１０】
また、前記土壌の流出を防止すると共に、水の通過を許容する有孔板を備えたことにより、前記溝型ブロック内に充填される土壌が滑り落ちることなく確実に保持される。また、溝型ブロック内に充填された土壌に含まれる余分な水が外部に排出されるので、土壌に植えられた植物は根腐れする恐れがない。
また、本発明の請求項２に係るのり面保護構造は、請求項１記載ののり面保護構造において、前記直列の溝型ブロックを並列に配した状態で互いに対向する前記溝型ブロックの側部に、両溝型ブロック間で連通する連通孔をそれぞれ設け、これら両連通孔の何れか一方の縁に他方の連通孔に内嵌する筒状突起を設け、さらに、前記溝型ブロックの底面にのり面への係合突起を設け、前記溝型ブロックの多数を、前記連通孔において連通させて縦横に連続させた状態でのり面に固着したことを特徴とする。
【００１１】
筒状突起は、連通孔の縁に設けられていればよく、例えば、溝型ブロックと一体に形成されているものでもよく、筒状部材を連通孔に内嵌して設けられているものでもよい。
係合突起は、前記溝型ブロックをのり面に固着させるものであればどのようなものでも良い。通常は、板状のキーが用いられる。
【００１２】
したがって、本発明の請求項２に係るのり面保護構造は、前記溝型ブロックの側部に連通孔を設け、前記溝型ブロックを前記連通孔において連通させたことにより、前記溝型ブロックに植えられた植物が、根の伸展を前記溝型ブロックの側部および前記有孔板で妨げられることがなく、根を他の溝型ブロック内にまで伸長でき、植物の生育が妨げられることがない。
【００１３】
また、前記連通孔の一方に他方の連通孔に内嵌する筒状突起を設けたため、筒状突起を他方の連通孔に内嵌させて、溝型ブロックを嵌着させることにより、溝型ブロックを所定の位置に位置決めすることができ、のり面保護構造を容易に形成することができる。
さらに、前記溝型ブロックの底面に係合突起を設けたため、係合突起の一部を前記のり面に突入させて前記溝型ブロックを前記法面に固着することにより、前記のり面の傾斜角が急であっても、溝前記型ブロックが前記のり面を滑り落ちることがない。
【００１４】
【発明の実施の形態】
本発明の一実施形態を図面を参照して説明する。
図１は、本発明に係るのり面保護構造の第１実施形態の溝型ブロックおよび板状部材を示す斜視図であり、図２は、本発明の第１実施形態を示す斜視図である。
【００１５】
まず、構成を説明すると、本実施形態ののり面保護構造は、溝方向に長い大型の溝型ブロック１と、板状部材２とから構成される。
溝型ブロック１は、図１に示すように、底部１ａと、底部１ａの両端から上方へ向かって延びる一対の側部１ｂ、１ｂとを備え、横断面形状がＵ字状の溝を有する。そして、図２に示すように、溝の方向が、のり面３に正対した位置から見て垂直方向に向けられて、のり面３に沿って直列に連接され、さらに、隣り合う溝型ブロック１の側部１ｂどうしを接触させて並列に配される。
【００１６】
溝型ブロック１の内面には、のり面３の下位に位置する端面１ｃに、中央に孔２ｂを有する板状部材２の正面２ａが一致されて、板状部材２が固定されている。
次に、橋等の構造物の基礎周辺に形成される場所打ちのコンクリートののり面に、本実施形態ののり面保護構造を施工する過程を説明する。
【００１７】
まず、のり面３に砕石４を敷設してのり面３を覆った後、複数の溝型ブロック１を積み上げる。その際、のり面３を周囲ののり面よりも低く形成し、溝型ブロック１の上面１ｂａと周囲ののり面との高さを揃え、のり面保護構造の表面５と周囲ののり面との段差をなくす。
さらに、溝型ブロック１の内部に土壌６を充填する。土壌６は、植物の種子および肥料を含む客土を使用する。のり面保護構造の表面５は、最初、土の色であるが、次第に種子が芽吹き草木が生育して、後日には植物で覆われる。
【００１８】
かくして、本実施形態に係るのり面保護構造によれば、のり面保護構造の表面５を植物により覆ったことにより、植物に覆われている周囲ののり面及びのり尻との境界がぼかされ、違和感が低減される。また、のり面保護構造の表面５に露出している溝型ブロック１の上面１ｂａも植物で覆い隠される。
また、溝方向に長い溝型ブロック１をのり面３に沿って直列に配したため、のり面保護構造の表面５には、溝型ブロック１の上面１ｂａにより直線を主体とした規律の取れた模様が形成され、のり面保護構造の表面５が植物の間から露呈しても、煩雑な印象を与えることはない。
【００１９】
さらに、大型の溝型ブロック１を用いているため、のり面保護構造を効率よく形成でき、のり面３が大規模であっても短時間で形成できる。
また、板状部材２を溝型ブロック１に取り付けたことにより、溝型ブロック１に充填された土壌６が滑り落ちることがなく確実に保持される。また、のり面３に正対した位置から見て溝の方向が垂直方向に向けられているため、溝型ブロック１内に充填された土壌６に含まれる余分な水が溝内を流れ、孔２ｂから外部に排出されるので、土壌６に植えられた植物は根腐れする恐れがない。
【００２０】
さらに、溝型ブロック１の下面の間隙に砕石４を充填したことにより、溝型ブロック１の下面を水が流れるようになっており、のり面３から浸み出る水が溝型ブロックの１の下面を流れて外部に排水される。
なお、本実施形態は本発明に係るのり面保護構造の一例を示したものであり、溝の形状、有孔板の取り付け位置などを限定するものではない。
【００２１】
本実施形態においては、場所打ちのコンクリートののり面３に溝型ブロック１を配した例を示したが、場所打ちのコンクリートののり面３だけでなく土砂からなるのり面に設けてもよい。
また、板状部材２と溝型ブロック１とを別体として設けた例を示したが、図３（ａ）に示すように、板状部材２を溝型ブロック１と一体に設けてもよい。また、図３（ｂ）に示すように、溝型ブロック１の両側部１ｂ、１ｂの対向する面に、板状部材２と係合する凹み１ｄ、１ｄを設けることにより、板状部材２を溝型ブロック１に係止してもよい。さらに、板状部材２は溝型ブロック１どうしの間に挟んで介装してもよい。
【００２２】
図４は、本発明に係るのり面保護構造の第２実施形態の溝型ブロックおよび板状部材を示す斜視図であり、図５は、本発明の第２実施形態を示す斜視図である。なお、第１実施形態と同一または相当する部分には同一の符号が付してある。この実施形態は、図５に示すように、溝型ブロック１の形状、板状部材２の形状および取付位置が第１の実施形態とは異なる。
【００２３】
溝型ブロック１の内面には、両端面１ｃに板状部材２の正面２ａが一致されて、板状部材２が固定されている。両端面１ｃの板状部材２には、その中央付近にそれぞれ孔２ｂ、２ｃが形成されており、のり面３の下位に位置する板状部材２の孔２ｂの縁には、のり面３の上位に位置する板状部材２の孔２ｃの直径と同一の外径を有し外方に突き出た筒状突起２ｄが設けられている。そして、溝型ブロック１を直列に連接する際に、のり面３の下位に位置する溝型ブロック１の孔２ｃに、のり面３の上位に位置する溝型ブロック１の環状突起２ｄを嵌合して、各溝型ブロック１を孔２ｂ、２ｃを介して直列に連通する。
【００２４】
溝型ブロック１の両側部１ｂ、１ｂには、それぞれ、並列に二個所に孔１ｂｂ、１ｂｃが形成されており、法面３の下位に位置する孔１ｂｂの周囲には、のり面の上位に位置する孔１ｂｃの直径と同一の外径を有する環状突起１ｂｄが、外方に突き出して設けられている。そして、溝型ブロック１をのり面３に並列に配する際に、隣り合う溝型ブロック１の孔１ｂｃに、環状突起１ｂｄを嵌合して、各溝型ブロック１を孔１ｂｂ、１ｂｃを介して並列に連通する。
【００２５】
溝型ブロック１の下面には、両端面１ｃ、１ｃ付近と中央部との３カ所に、下方に向かって伸びる板状のキー７が設けられている。そして、傾斜角が急なのり面に溝型ブロック１をのり面３に配する際には、キー７の下部をのり面３に敷設したコンクリート８に突入させて溝型ブロック１をのり面に固着する。
かくして、本実施形態に係るのり面保護構造は、各溝型ブロック１を、孔２ｂ、２ｃを介して直列に連通し、孔１ｂｂ、１ｂｃを介して並列に連通しているため、溝型ブロック１内の植物は、板状部材２や溝型ブロック１の側部１ｂで根の伸長を妨げられることがなく、他の溝型ブロック１内に伸長することができ、生育を抑制されることがない。
【００２６】
また、環状突起２ｄを嵌合させて、溝型ブロック１を縦横に嵌着することにより、溝型ブロック１を所定の位置に位置決めすることができ、のり面保護構造を容易に形成することができる。
さらに、溝型ブロック１の底面にキー７を設けたため、キー７の一部を前記のり面に埋設して前記溝型ブロックを前記法面に固着することにより、のり面３の傾斜角が急であっても、溝型ブロックが滑り落ちることがない。
【００２７】
その他の作用効果は、上記第１の実施形態と同様である。
【００２８】
【発明の効果】
以上説明したように、本発明の請求項１に係るのり面保護構造は、上面に前記土壌を充填可能な溝を有するため、前記土壌に植物を植えることによりのり面保護構造の表面を植物で覆うことができ、植物に覆われている周囲ののり面及びのり尻との境界をぼかして、のり面の状態を連続的に変化させ違和感を低減させることができる。また、前記のり面上に露出している前記溝型ブロックの上面を、植物によって覆い隠すことができる。
【００２９】
また、前記溝の方向に長い前記溝型ブロックが直列に連続に配されて、前記のり面に前記溝型ブロックの上面により直線を主体とした規律の取れた模様が形成されるため、前記溝型ブロックが前記植物の間から露呈しても、前記幾何学的模様のように煩雑な印象を与えない。
さらに、前記溝型ブロックの上面に前記溝が設けられているため、内部にコンクリートが充填されている前記コンクリートブロックよりも軽い。それゆえ、同じ重量では、前記コンクリートブロックよりも大型にできるため作業効率が上がり、大規模なのり面保護構造も短時間で形成できる。なお、前記のり面に前記溝型ブロックを配した後、前記溝型ブロック内に土壌を充填することにより、前記のり面保護構造の重量を十分に大きくすることができる。
【００３０】
また、前記土壌の流出を防止すると共に、水の通過を許容する有孔板を備えたことにより、前記溝型ブロック内に充填される土壌が滑り落ちることなく確実に保持される。また、溝型ブロック内に充填された土壌に含まれる余分な水が外部に排出されるので、土壌に植えられた植物は根腐れする恐れがない。
本発明の請求項２に係るのり面保護構造は、前記有孔板および前記溝型ブロックの側部に連通孔を設け、前記溝型ブロックを前記連通孔において連通させたことにより、前記溝型ブロックに植えられた植物が、根の伸展を前記溝型ブロックの側部および前記有孔板で妨げられることがなく、根を他の溝型ブロック内にまで伸長でき、植物の生育が妨げられることがない。
【００３１】
また、前記連通孔の一方に他方の連通孔に内嵌する筒状突起を設けたため、筒状突起を他方の連通孔に内嵌させて、溝型ブロックを縦横に嵌着させることにより、溝型ブロックを所定の位置に位置決めすることができ、のり面保護構造を容易に形成することができる。
さらに、前記溝型ブロックの底面に係合突起を設けたため、係合突起の一部を前記のり面に埋設して前記溝型ブロックを前記法面に固着することにより、前記のり面の傾斜角が急であっても、溝前記型ブロックが前記のり面を滑り落ちることがない。
【図面の簡単な説明】
【図１】本発明に係るのり面保護構造の第１実施形態の溝型ブロックおよび板状部材を示す斜視図である。
【図２】本発明の第１実施形態を示す斜視図である。
【図３】本発明に係るのり面保護構造の変形例を示す図であって、（ａ）は板状部材を溝型ブロックと一体に設けた状態を示す斜視図であり、（ｂ）は板状部材を溝型ブロックに設けた凹みに係止した状態を示す斜視図である。
【図４】本発明に係るのり面保護構造の第２実施形態の溝型ブロックおよび板状部材を示す斜視図である。
【図５】本発明の第２実施形態を示す斜視図である。
【符号の説明】
１  溝型ブロック
１ｂ  側部
１ｂａ  上面
１ｂｂ、１ｂｃ  孔
１ｂｄ  筒状突起
２  板状部材
２ｂ、２ｃ  孔
２ｄ  筒状突起
３  のり面
６  土壌
７  キー
【図１】
0004245741.tif 000002
【図２】
0004245741.tif 000003
【図３】
0004245741.tif 000004
【図４】
0004245741.tif 000005
【図５】
0004245741.tif 000006